(57)【要約】【課題】製品の包装に使用される１枚の段ボールシートから形成する緩衝材において、折込による複雑な組立と製品への緩衝を解決し、容易な組立で緩衝効果の高い段ボール緩衝材の緩衝構造の提供を目的とする。【解決手段】段ボールシートに、製品保持部２を形成するために加工された山折罫線と谷折罫線を、製品保持部２の垂直立ち上げ面４面を形成する面の接続部へ構成し、その谷折罫線を４５度の角度とする。組立てられた時、製品を固定する製品保持部２の外側に外装箱の内部寸法に契合する外形部３を設け、製品保持部２及び外形部３と連接した緩衝部４の外装箱内側との接触部には外形部３との連接部の一端のみが当たり、当たり部から外装箱の内側方向に傾斜する傾斜切欠き部５を構成する。【選択図】  図１
2004307034.tif 000002
【特許請求の範囲】
【請求項１】
外装箱と、製品の固定及び輸送時の衝撃緩衝する緩衝材を組立てた時に前記外装箱の内部寸法に契合する外形部、前記外形部の内側で製品を固定する製品保持部、前記外形部及び前記固定部と連接した緩衝部、前記緩衝部の外装箱内側との接触部を外形部との連接部の一端のみを当て、当たり部から外装箱の内側方向に傾斜切欠き部で構成したことを特徴とする段ボール緩衝材の緩衝構造。
【請求項２】
外装箱の内部寸法に契合して製品の固定及び輸送時の衝撃を吸収する緩衝材の材質に段ボールを使用し、指定方向へ折り曲げるために凹加工の山折罫線と谷折罫線を、製品保持部の垂直立ち上げ面４面を形成する面の接続部へ構成し、谷折罫線を４５度の角度で構成することで、一枚のシートから製品保持部を形成する立体的に形成する請求項１に記載の段ボール緩衝材の緩衝構造。
【発明の詳細な説明】
【０００１】
【発明の属する技術分野】
本発明は、製品の包装における製品の固定及び輸送での衝撃を緩衝する段ボール緩衝材に関するものである。
【０００２】
【従来の技術】
従来の段ボール緩衝材の緩衝構造は、１枚の段ボールシートの周辺部を複雑に折り曲げることで衝撃を緩衝させるものであった（例えば特許文献１参照。）。図４は、前記特許文献１に記載された従来の段ボール緩衝材の緩衝構造を示すものである。
【０００３】
図４において、１は外装箱、２は製品保持部で、その周囲の折り曲げ部が緩衝部であり、１枚の段ボールシートの周辺部を折り曲げて構成され、外装箱に嵌め込んで用いられる。
【０００４】
【特許文献１】
特開２００２−１０４５２７号公報（図４）
【０００５】
【発明が解決しようとする課題】
しかしながら、上記の従来の構成では、外装箱に嵌め込んだ状態で緩衝部の機能を維持する構造で、周辺部の折り曲げを利用した緩衝部の構成のため、外装箱に嵌め込むまでの形状維持と、緩衝部を構成するための組立の容易化が求められる問題を有していた。
【０００６】
本発明は、前記従来の課題を解決するもので、緩衝部を非常に簡単な組立で構成し、効果的に輸送での衝撃を緩衝する段ボール緩衝材を提供することを目的とする。
【０００７】
【課題を解決するための手段】
上記目的を達成するために本発明の段ボール緩衝材の緩衝構造は、外装箱と、製品の固定及び輸送時の衝撃緩衝する緩衝材を外装箱の内部寸法に契合する外形部、外形部の内側で製品を固定する製品保持部、外形部及び固定部と連接した緩衝部、緩衝部の外装箱内側との接触部を外形部との連接部の一端のみが当たり、当たり部から外装箱の内側方向に傾斜切欠き部で形成した構成としている。緩衝材の材質には段ボールを使用して、一枚のシートから指定方向へ折り曲げるために凹加工の山折罫線と谷折罫線を、製品保持部の垂直立ち上げ面４面を形成する面の接続部へ構成し、谷折罫線を４５度の角度で構成する。
【０００８】
この構成によって、製品の固定及び輸送時の衝撃緩衝する緩衝材を非常に簡単な組立で形成し、効果的に輸送での衝撃の緩衝が得られる。
【０００９】
【発明の実施の形態】
以下に、本発明の実施の形態について、図面を参照しながら説明する。
【００１０】
（実施の形態１）
図１は、本発明の実施の形態１における段ボール緩衝材の緩衝構造の斜視図である。図１において１が外装箱で、２は製品の固定及び輸送時の衝撃緩衝する緩衝材の一部で製品を固定する製品保持部、３は外形部で前記製品保持部３の外側で外装箱の内部寸法に契合する。前記３外形部と前記２製品保持部と連接した緩衝部４には、外装箱内側との接触部を外形部３との連接部の一端のみが当たり、当たり部から外装箱の内側方向に傾斜する傾斜切欠き部５を構成している。製品の固定及び輸送時の衝撃緩衝する緩衝材の材質に段ボールを使用して一枚のシートから折り曲げによる組立で立体的に形成し、矢視Ａ方向に外装箱１へ契合しながら挿入する。そして、製品を固定する製品保持部２へ製品を挿入し、製品の上部を保護固定する蓋７を閉じてから、外装箱１の蓋を閉める構造としている。
【００１１】
以上のように構成された本発明の段ボール緩衝材の緩衝構造における実施の形態１の動作を図１及び図２において説明する。図２は、本発明の実施の形態１における段ボール緩衝材の緩衝構造の要部拡大斜視図である。包装状態での流通による取扱上の誤りにより発生する落下等で、図１におけるＢ方向へ衝撃が発生した時、製品の質量による慣性で製品がＢ方向へ移動する力が発生し、製品保持部３が製品の移動に連動して、製品と一緒にＢ方向へ移動させられる力が働く。この時、傾斜切欠き部５の構成により、緩衝部４と外形部２との連接部の外装箱内側への接触部が接続部の一端６のみとなることで、緩衝部４が潰れやすくなると共に、傾斜切欠き部５の構成により緩衝部４が図２のＣ方向へ移動できる隙間を設け、外形部２との連接部を変形させながら移動することで製品への衝撃を吸収し緩衝効果を得ることが出来る。
【００１２】
図３は、本発明の実施の形態１における段ボール緩衝材の緩衝構造の折り曲げによる組立で立体的に形成する前のシート状の展開図である。図３において、図１の状態に折り曲げて立体的に形成した図１と同じ構成要素については同じ符号を用い説明を省略する。一点鎖線で示した８及び８ａは山折罫線、破線で示した９及び９ａは谷折罫線で、シートから立体的に形成する時に折り曲げるための凹加工を示す。以上のように構成された段ボール緩衝材の緩衝構造について、図３を用いてシートから立体的に形成する動作を説明する。谷折罫線９ａを折り曲げて、製品保持部２を形成する立上げ面１０を垂直に立ち上げる時、山折罫線８ａと谷折罫線９がそれぞれ罫線加工による指定方向に折曲がることに連動して、製品保持部２を形成する立上げ面１１が垂直に立上げられ、製品保持部２の立体形状が形成される。そして山折罫線８を折り曲げることで外装箱１の内部寸法に契合する形状を形成する。
【００１３】
【発明の効果】
以上のように本発明は、１枚の段ボールシートから製品を固定する緩衝材を非常に容易な組立で構成し、効果的に輸送時の衝撃を吸収する優れた緩衝効果が得られる。
【図面の簡単な説明】
【図１】本発明の実施の形態１における段ボール緩衝材の緩衝構造の斜視図
【図２】本発明の実施の形態１における段ボール緩衝材の緩衝構造の要部拡大斜視図
【図３】本発明の実施の形態１における段ボール緩衝材の緩衝構造の折り曲げによる組立で立体的に形成する前のシート状の展開図
【図４】従来の段ボール緩衝材の緩衝構造斜視図
【符号の説明】
１  外装箱
２  製品保持部
３  外形部
４  緩衝部
５  傾斜切欠き部
６  接続部の一端
７  蓋
８、８ａ  山折罫線
９、９ａ  谷折罫線
１０  立上げ面
１１  立上げ面
【図１】
2004307034.tif 000003
【図２】
2004307034.tif 000004
【図３】
2004307034.tif 000005
【図４】
2004307034.tif 000006